(57)【要約】【課題】本発明の目的は、基本色の色ズレを防止しつつ補助色の画像形成部の配置の自由度を高めて画像形成装置の高さを低くすることができる画像形成装置を提供することである。【解決手段】ブラック、イエロー、シアン、マゼンタの基本色の単色トナー像を形成する複数の画像形成部Ｂｋ，Ｃ，Ｍ，Ｙは、ベルト搬送ローラ８８，８９の間のベルト８７の一方の同一ベルト面に配置され、補助色の単色トナー像を形成する複数の画像形成部ＬＣ，ＬＭは、ベルト搬送ローラ８８，８９の間のベルト８７の他方の同一ベルト面に基本色よりも少なくなるように並べて配置され、補助色側の隣り合う感光ドラム８２ｅ，８２ｆ間の最小の距離は基本色側の隣り合う感光ドラム８２ａ，８２ｂ，８２ｃ，８２ｄ間の最小の距離よりも大きいことを特徴とする。【選択図】    図１
2007292972.tif 000002
【特許請求の範囲】
【請求項１】
ブラック、イエロー、シアン、マゼンタの基本色の単色トナー像が形成されるための像担持体を有する複数の画像形成部と、補助色の単色トナー像が形成されるための像担持体を有する複数の画像形成部と、像担持体で形成されたトナー像が転写されるための無端状のベルト部材と、ベルト部材を懸架する第一と第二の懸回部材と、を有する画像形成装置において、
ブラック、イエロー、シアン、マゼンタの基本色の単色トナー像を形成する複数の画像形成部は第一と第二の懸回部材の間の一方の同一ベルト面に配置され、補助色の単色トナー像を形成する複数の画像形成部は第一と第二の懸回部材の間の他方の同一ベルト面に基本色よりも少なくなるように並べて配置され、補助色側の隣り合う像担持体間の最小の距離は基本色側の隣り合う像担持体間の最小の距離よりも大きいことを特徴とする画像形成装置。
【請求項２】
基本色のトナー像を形成するそれぞれの像担持体に画像露光するための第一回転多面鏡を有する第一露光手段と、補助色のトナー像を形成するそれぞれの像担持体に画像露光するための第二回転多面鏡を有する第二露光手段と、を有し、基本色の像担持体は第一回転多面鏡に対して両側の位置に配置されており、補助色の像担持体は第二回転多面鏡の片側の位置に配置されていることを特徴とする請求項１に記載の画像形成装置。
【請求項３】
少なくともイエロー、シアン、マゼンタは隣り合う位置に配置されており、隣り合う像担持体間の距離は等しく設定されており、この距離が前記基本色側の像担持体間の最小の距離であることを特徴とする請求項１または請求項２のいずれかに記載の画像形成装置。
【請求項４】
基本色の複数の画像形成部を、隣り合う画像形成部の一部が、ベルト部材面側からみて重なり合うように配置し、補助色の複数の画像形成部を、隣り合う画像形成部がベルト部材面側からみて重なり合わないように配置したことを特徴とする請求項１乃至３のいずれか１項に記載の画像形成装置。
【請求項５】
前記補助色が配置されるベルト面は装置の上面側であり、前記基本色が配置されるベルト面は装置の底面側であることを特徴とする請求項１乃至４のいずれか１項に記載の画像形成装置。
【請求項６】
基本色の像担持体の間隔を、前記像担持体の周長と同一に設定し、補助色の像担持体の間隔を、前記像担持体の周長の整数倍に設定したことを特徴とする請求項１乃至５のいずれか１項に記載の画像形成装置。
【請求項７】
前記露光手段の前記複数の光が前記１つの回転多面鏡に対して異なる角度で斜入射することを特徴とする請求項２に記載の画像形成装置。
【発明の詳細な説明】
【技術分野】
【０００１】
本発明は、複数の画像形成部を有し、無端状のベルト部材を用いて画像形成を行う画像形成装置に関する。
【背景技術】
【０００２】
従来のカラー画像形成装置としては、イエロー、マゼンタ、シアン、ブラックの各色に対して独立した画像形成部を有し、無端状のベルト部材である中間転写ベルトを用いてカラー画像を形成するタンデム型のカラー画像形成装置が知られている。画像形成時には、各画像形成部の感光体にレーザ光を露光して静電潜像を形成し、この静電潜像を各色のトナーで現像し、得られた各トナー画像を中間転写ベルトに順次重ね合わせるように転写する。その後、中間転写ベルト上の重畳トナー画像を、シート状の記録材上に一括転写してカラー画像を得ている。
【０００３】
このようなタンデム型のカラー画像形成装置においては、中間転写ベルト上の回転方向に沿って一列に、イエロー、マゼンタ、シアン、ブラックの各色に対して独立した画像形成部が配置されている構成が多い。しかしながら、これらの画像形成部を並設すると、中間転写ベルトの長さが長くなり、中間転写ベルトに沿ってカラー画像形成装置が大きくなる。
【０００４】
このため、特許文献１に開示されているように、中間転写ベルトの対向する外周面上に、感光体などを備えた画像形成部を均等に分割配置することで、中間転写ベルトの長さを短くし、カラー画像形成装置を小型化することが提案されている。
【０００５】
【特許文献１】特開２００１−５１４７２号公報
【発明の開示】
【発明が解決しようとする課題】
【０００６】
ここで、タンデム型のカラー画像形成装置は更なる高画質化を要求されている。このため、イエロー、マゼンタ、シアン、ブラックの各基本色に加え、例えばマゼンタと同じ色相で濃度が低い淡いマゼンタとシアンと同じ色相で濃度が低い淡いシアン等の補助色を用いて画像形成を行うことが望まれている。
【０００７】
このように、４色よりさらに多くの色を用いて画像形成を行おうとした時、上記従来例のように、中間転写ベルト上の回転方向に沿って一列に感光体を配置してしまうと、ますます中間転写ベルトの長さが長くなり、中間転写ベルトに沿ってカラー画像形成装置が大きくなってしまう。
【０００８】
そのため、特許文献１のように、中間転写ベルトの対向する外周面上に画像形成部を均等に分割配置する方法が考えられる。しかし、その場合にはカラー画像を形成する際の使用頻度の高いイエロー、マゼンタ、シアン、ブラックの基本色を転写ベルトの異なる面に分割して配置するため、それぞれの面でのベルトの張力が異なることから色ズレが発生しやすくなる。そのため、この基本色は転写ベルトの同じ一面でトナー像を重ねる方が色ズレに対して有効である。
【０００９】
しかし、転写ベルトの同じ一面に基本色を集める構成にすると、画像形成装置の幅を狭くするために、感光ドラム同士の間隔、即ち画像形成装置の幅方向の間隔を狭めるだけでなく、画像形成部はこの幅方向の大きさをも小さくする必要がある。画像形成部のこの幅方向の大きさを小さくする結果、画像形成装置の高さ方向の大きさを大きくする必要があり、結果として画像形成装置の高さが大きくなる。
【００１０】
そのため、基本色よりも少ない数の補助色が設けられる面において、この幅方向のスペースが基本色側に比べてあるにもかかわらず、補助色の感光ドラム間の間隔を基本色側と同じ大きさにしてしまうと更に画像形成装置の高さを大きくしてしまう。
【００１１】
そこで、本発明の目的は、基本色の色ズレを防止しつつ補助色の画像形成部の配置の自由度を高めて画像形成装置の高さを低くすることができる画像形成装置を提供することである。
【課題を解決するための手段】
【００１２】
上記目的を達成するための本発明に係る代表的な構成は、ブラック、イエロー、シアン、マゼンタの基本色の単色トナー像が形成されるための像担持体を有する複数の画像形成部と、補助色の単色トナー像が形成されるための像担持体を有する複数の画像形成部と、像担持体で形成されたトナー像が転写されるための無端状のベルト部材と、ベルト部材を懸架する第一と第二の懸回部材と、を有する画像形成装置において、ブラック、イエロー、シアン、マゼンタの基本色の単色トナー像を形成する複数の画像形成部は第一と第二の懸回部材の間の一方の同一ベルト面に配置され、補助色の単色トナー像を形成する複数の画像形成部は第一と第二の懸回部材の間の他方の同一ベルト面に基本色よりも少なくなるように並べて配置され、補助色側の隣り合う像担持体間の最小の距離は基本色側の隣り合う像担持体間の最小の距離よりも大きいことを特徴とする。
【発明の効果】
【００１３】
本発明によれば、特別色のトナーを含む画像形成装置であって、ベルト部材の一面に基本色を並べて設ける構成であっても補助色の画像形成部の配置の自由度が高まることで画像形成装置の高さを低くすることができる。
【発明を実施するための最良の形態】
【００１４】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１５】
ここでは、画像形成装置として、タンデム型カラー画像形成装置（プリンタ）を例示して説明する。
【００１６】
図１は本発明の一実施形態であるタンデム型カラープリンタの概略断面図、図２，図３は走査式光学装置と画像形成部を示す概略断面図、図４，図５はレーザホルダ部の断面図である。
【００１７】
図１に示すように、カラープリンタ１００は、無端状のベルト部材としての中間転写ベルト（中間転写体）８７を備えている。この中間転写ベルト８７は、複数の回転体としてのベルト搬送ローラ８８，８９に張架されており、対向する２つの平坦外周面を有する。ここでは、中間転写ベルト８７の対向する２つの平坦外周面を、それぞれ、後述する一方の面側を装置の上面側、他方の面側を装置の底面側としている。
【００１８】
更にカラープリンタ１００は、色の異なる画像を形成する複数の画像形成部を備えている。ブラック色の画像を形成する画像形成部８１Ｂｋと、シアン色の画像を形成する画像形成部８１Ｃと、マゼンタ色の画像を形成する画像形成部８１Ｍと、イエロー色の画像を形成する画像形成部８１Ｙを備えている。このようにブラック、シアン、マゼンタ、イエローの基本色のトナー像を形成する画像形成部が備えられている。更に、補助色のトナー像を形成する画像形成部が備えられている。シアンと同じ色相で濃度が薄い淡いシアン（ライトシアン）色の画像を形成する画像形成部８１ＬＣと、マゼンタと同じ色相で濃度が薄い淡いマゼンタ（ライトマゼンタ）色の画像を形成する画像形成部８１ＬＭの６つの画像形成部（画像形成ユニット）を備えている。
【００１９】
カラープリンタ１００では、これら６つの画像形成部を、前記中間転写ベルト８７の対向する２つの平坦外周面に、それぞれ配置している。更に前記一方の面側に配置する画像形成部の数が他方の面側に配置する画像形成部よりも少なくなるように配置している。具体的には、これら６つの画像形成部のうち、画像形成部８１Ｂｋ，８１Ｃ，８１Ｍ，８１Ｙは、カラープリンタ１００の設置面に対して、画像形成部８１Ｂｋが設置面に最も近い状態で傾斜して一列に中間転写ベルト８７の下側に一定間隔で配置されている。これら基本色のトナー像を形成する画像形成部は、回転体（懸回部材）間の同じベルト面内に設けられ、これによりベルトの張力による影響を少なくして色ズレを防止することができる。一方、画像形成部８１ＬＣ，８１ＬＭは、中間転写ベルト８７の上側に、画像形成部８１Ｂｋ，８１Ｃ，８１Ｍ，８１Ｙより広い間隔で配置されている。
【００２０】
各画像形成部８１Ｂｋ，８１Ｃ，８１Ｍ，８１Ｙ，８１ＬＣ，８１ＬＭには、それぞれドラム型の像担持体（以下、感光ドラムという）８２ａ，８２ｂ，８２ｃ，８２ｄ，８２ｅ，８２ｆが設置されている。更に、各感光ドラム８２ａ，８２ｂ，８２ｃ，８２ｄ，８２ｅ，８２ｆの周囲には、図１〜図３に示すように、感光ドラムに作用するプロセス手段がそれぞれ配置されている。具体的には、前記プロセス手段として、一次帯電器８３ａ，８３ｂ，８３ｃ，８３ｄ，８３ｅ，８３ｆ、現像装置８４ａ，８４ｂ，８４ｃ，８４ｄ，８４ｅ，８４ｆ、転写手段としての転写ローラ８５ａ，８５ｂ，８５ｃ，８５ｄ，８５ｅ，８５ｆ、ドラムクリーナ装置８６ａ，８６ｂ，８６ｃ，８６ｄ，８６ｅ，８６ｆがそれぞれ配置されている。また、一次帯電器８３ａ，８３ｂ，８３ｃ，８３ｄと現像装置８４ａ，８４ｂ，８４ｃ，８４ｄ間の下方には第一露光手段としての走査式光学装置５０が設置されている。本実施例では、一の画像形成部は、感光ドラム、一次帯電器、現像装置、ドラムクリーナ装置を有する画像形成ユニットとなっており、画像形成装置に対して着脱可能となっている。一方、一次帯電器８３ｅ，８３ｆと現像装置８４ｅ，８４ｆ間の上方には第二露光手段としての走査式光学装置５１が設置されている。
【００２１】
ここで、中間転写ベルトの下側に配置された感光ドラム８２ａ，８２ｂ，８２ｃ，８２ｄの間隔は、可能な限り小さくできるように、隣り合う画像形成部が、感光体への露光を妨げない範囲で重なり合うように配置されている。具体的には、一次帯電器８３ａ，８３ｂ，８３ｃ，８３ｄの下側に、現像装置８４ａ，８４ｂ，８４ｃ，８４ｄが上下方向に一部重なるように配置されている。このため、画像形成部の占有空間が左右の幅方向に大型化せず、カラープリンタ１００を小型化することができる。本実施例では、感光ドラム８２ａ，８２ｂ，８２ｃ，８２ｄの間隔は等しく設定されている。
【００２２】
一方、前述したように、中間転写ベルトの上側に配置された感光ドラム８２ｅ，８２ｆの間隔を、中間転写ベルトの下側に配置された感光ドラム８２ａ，８２ｂ，８２ｃ，８２ｄの間隔より広くしている。このため、一次帯電器８３ｅ，８３ｆと現像装置８４ｅ，８４ｆが上下方向に重ならないように配置することが可能である。これにより、画像形成部の占有空間が、上下の高さ方向に大型化せず、カラープリンタ１００を小型化することができる。このように、補助色側の現像器を基本色側の現像器に比べて、画像形成装置の幅方向に広げることができるため、補助色側の現像器の高さを低くすることができる。さらには、走査式光学装置５１を感光ドラム８２ｅ，８２ｆに近接配置できると共に、配置自由度が上がるため、より一層カラープリンタ１００を上下の高さ方向に大型化せず、小型化することができる。感光ドラム間の間隔は、感光ドラムの中心間距離あるいは像担持体が感光ドラム以外の場合には像担持体と中間転写ベルトとの接触部分同士間の距離である。
【００２３】
なお、本実施形態においては、感光ドラム８２ａ，８２ｂ，８２ｃ，８２ｄの間隔を、感光ドラムの周長と同一に設定している。更に、感光ドラム８２ｅ，８２ｆの間隔を、感光ドラム８２ａ，８２ｂ，８２ｃ，８２ｄの間隔の２倍、すなわち感光ドラムの周長の整数倍に設定している。このため、色ズレの発生原因の一つである、ドラム起因の回転ムラの影響を排除して、色ズレを低減し高画質化を図っている。
【００２４】
各現像装置８４ａ，８４ｂ，８４ｃ，８４ｄ，８４ｅ，８４ｆには、それぞれブラックトナー、シアントナー、マゼンタトナー、イエロートナー、ライトシアントナー、ライトマゼンタトナーが収納されている。
【００２５】
各感光ドラム８２ａ，８２ｂ，８２ｃ，８２ｄ，８２ｅ，８２ｆは、負帯電のＯＰＣ感光体でアルミニウム製のドラム基体上に光導電層を有している。各感光ドラム８２ａ，８２ｂ，８２ｃ，８２ｄ，８２ｅ，８２ｆは、駆動装置（不図示）によって矢印方向（図１における時計回り方向）に所定のプロセススピードで回転駆動される。
【００２６】
一次帯電手段としての一次帯電器８３ａ，８３ｂ，８３ｃ，８３ｄ，８３ｅ，８３ｆは、帯電バイアス電源（不図示）から印加される帯電バイアスによって各感光ドラム８２ａ，８２ｂ，８２ｃ，８２ｄ，８２ｅ，８２ｆ表面を負極性の所定電位に均一に帯電する。
【００２７】
現像装置８４ａ，８４ｂ，８４ｃ，８４ｄ，８４ｅ，８４ｆは、トナーを内蔵し、それぞれ各感光ドラム８２ａ，８２ｂ，８２ｃ，８２ｄ，８２ｅ，８２ｆ上に形成される各静電潜像に各色のトナーを付着させてトナー像として現像（可視像化）する。
【００２８】
転写手段としての転写ローラ８５ａ，８５ｂ，８５ｃ，８５ｄ，８５ｅ，８５ｆは、各一次転写ニップ部にて中間転写ベルト８７を介して各感光ドラム８２ａ，８２ｂ，８２ｃ，８２ｄ，８２ｅ，８２ｆに当接している。
【００２９】
ドラムクリーナ装置８６ａ，８６ｂ，８６ｃ，８６ｄ，８６ｅ，８６ｆは、感光体ドラム上で一次転写時の残留した残留トナーを、感光体から除去するためのクリーニングブレード等で構成されている。
【００３０】
中間転写ベルト８７は、一対のベルト搬送ローラ（第一懸回部材、第二懸回部材）８８，８９間に張架されており、矢印Ａ方向（図１における反時計回り方向）に回転（移動）される。中間転写ベルト８７は、ポリカーボネート、ポリエチレンテレフタレート樹脂フィルム、ポリフッ化ビニリデン樹脂フィルム等のような誘電体樹脂によって構成されている。なお、中間転写ベルト８７を張架する回転体の数はこれに限定されるものではない。
【００３１】
ベルト搬送ローラ８８は、中間転写ベルト８７を介して二次転写ローラ９０と当接して、二次転写部を形成している。中間転写ベルト８７の外側でベルト搬送ローラ８９近傍には、中間転写ベルト８７表面に残った転写残トナーを除去して回収するベルトクリーニング装置９１が設置されている。
【００３２】
９２はシート状の記録材である転写用紙を格納する給紙カセットである。給紙カセット９２内の転写用紙は給紙ローラ９３により１枚ずつ給紙され、レジストローラ対９４に搬送されると、一旦停止し、前記二次転写部で所定位置にトナー像を転写されるようにタイミングを合わせて搬送が開始される。二次転写部でトナー像を転写された転写用紙は定着器９５によりトナー像を熱により定着され、搬送ローラ対９６，９７、排紙ローラ対９８により、排紙トレイ９９上に搬送、排紙される。
【００３３】
前記走査式光学装置５０において、図４に示すように、１はレーザホルダで、光源である半導体レーザ（シングルビームレーザ）２，３を鏡筒保持部１ａ，１ｂに圧入して保持している。鏡筒保持部１ａ，１ｂは半導体レーザ２，３の光路を互いに副走査方向に所定角度θを持ってポリゴンミラー１０近傍で交差するように光軸を傾斜させて設けられており、鏡筒の外形の一部が一体化されている。このため、半導体レーザ２，３の間隔を近接して保持することが可能である。鏡筒保持部１ａ，１ｂの先端側には各半導体レーザ２，３に対応する絞り部１ｃ，１ｄが設けられ、半導体レーザ２，３から射出された光束を所望の最適なビーム形状に成形している。鏡筒保持部１ａ，１ｂのさらに先端には、絞り部１ｃ，１ｄを通過した各光束を略平行光束に変換するコリメータレンズ６，７の接着部１ｅ，１ｆが主走査方向に各２箇所設けられている。ここで、コリメータレンズ６，７は照射位置やピントをレーザ光の光学特性を検出しながら調整を行い、位置が決定すると紫外線硬化形の接着剤を紫外線照射することで接着部１ｅ，１ｆに接着固定される。
【００３４】
４０は走査式光学装置の各光学部品を格納する光学ケースである。光学ケース４０の側壁には、レーザホルダ１を位置決めするための勘合穴部および長穴部が副走査方向に設けられており、レーザホルダ１の鏡筒保持部１ａ，１ｂの外形部に設けられた勘合部を勘合させて取り付けられるようにしている。このように、半導体レーザ２，３を保持して光路を形成する鏡筒保持部１ａ，１ｂの外形部に設けられた勘合部を勘合させて光学ケース４０にレーザホルダ１を取り付けている。これにより、半導体レーザ２，３と光学ケース４０に格納された各光学部品との位置関係を精度良く保証することができる。
【００３５】
図５に示すように、１１はレーザホルダで、レーザホルダ１と同一部品であり、半導体レーザ１２，１３を鏡筒保持部１１ａ，１１ｂに圧入して保持している。ここで、鏡筒保持部１１ａ，１１ｂは半導体レーザ１２，１３の光路を互いに副走査方向に所定角度θを持ってポリゴンミラー１０近傍で交差するように光軸を傾斜させて設けられており、鏡筒の外形の一部が一体化されている。鏡筒保持部１１ａ，１１ｂの先端側には各半導体レーザ１２，１３に対応する絞り部１１ｃ，１１ｄが設けられ、半導体レーザ１２，１３から射出された光束を所望の最適なビーム形状に成形している。鏡筒保持部１１ａ，１１ｂのさらに先端には、絞り部１１ｃ，１１ｄを通過した各光束を略平行光束に変換するコリメータレンズ１６，１７の接着部１１ｅ，１１ｆが主走査方向に各２箇所設けられている。ここで、コリメータレンズ１６，１７はコリメータレンズ６，７と同様に、照射位置やピントの調整を行い、接着部１１ｅ，１１ｆに接着固定される。
【００３６】
レーザホルダ１１の光学ケース４０に対する位置決めもレーザホルダ１と同様になされている。このため、半導体レーザ１２，１３と光学ケース４０に格納された各光学部品との位置関係を精度良く保証することができる。
【００３７】
図２に示すように、１０は回転多面鏡としてのポリゴンミラーで、不図示のモータを一定速度で回転させることで、半導体レーザから射出された光束を偏向走査する。ここで、半導体レーザ２，１２は下側から上側に向けて副走査方向に角度θを持ってポリゴンミラー１０に斜入射されるため、ポリゴンミラー１０によって偏向走査される際、副走査方向に角度θを持って上側に射出される。つまり、感光ドラム側の光束となる。一方、半導体レーザ３，１３は上側から下側に向けて副走査方向に角度θを持ってポリゴンミラー１０に斜入射されるため、ポリゴンミラー１０によって偏向走査される際、副走査方向に角度θを持って下側に射出される。つまり、設置面側の光束となる。回転多面鏡１０によって、基本色の感光ドラムに像露光を行うため、回転多面鏡１０とそれぞれの感光ドラムとの位置関係は、回転多面鏡の両サイドに感光ドラムが配置される関係となる。
【００３８】
２１は第１の結像レンズで、第２の結像レンズ２２，２３と共に、半導体レーザ２，３から射出されたレーザ光を等速走査およびドラム上でスポット結像させるｆθレンズである。第１の結像レンズ２１は半導体レーザ２，３から射出された光束が互いに異なる角度で入射するためシリンダーレンズで構成している。第１の結像レンズ２１は、副走査方向には、半導体レーザ２の光束に対して配置した第２の結像レンズ２２および半導体レーザ３の光束に対して配置した第２の結像レンズ２３で結像させる。２４〜２７は光束を所定の方向へ反射する折り返しミラーである。２４は半導体レーザ２の光束に対して配置された折り返しミラーである。２５は半導体レーザ２の光束に対して配置された最終折り返しミラーである。２６は半導体レーザ３の光束に対して配置された分離用折り返しミラーであり、半導体レーザ２の光束と分離する際、半導体レーザ２の光束との干渉を避けるための面取りを設けている。２７は半導体レーザ３の光束に対して配置された最終折り返しミラーである。このように、折り返しミラー２４，２６で光束を感光ドラムと反対の設置面側に一旦反射させてから、最終折り返しミラー２５，２７で感光ドラムに向けて折り返している。このため、少ないスペースを有効活用して半導体レーザ２，３の光束を同一の光路長にしながら、走査式光学装置５０を感光ドラムに近接配置することができる。さらに、ポリゴンミラー１０によって偏向走査された後、感光ドラム側の光束である半導体レーザ２の光束を最も設置面に近い感光ドラム８２ａに照射するようにしている。このため、折り返しミラー２４、最終折り返しミラー２５の位置は感光ドラム８２ａに近づけることができる。これにより、走査式光学装置５０の設置面側の突出量が少なくなり、カラープリンタ１００を薄型化することができる。
【００３９】
一方、ポリゴンミラー１０の反対側には、半導体レーザ１２，１３に対応した第１の結像レンズ３１、第２の結像レンズ３２，３３が配置されている。さらにポリゴンミラー１０の反対側には、半導体レーザ１２の光束に対して配置された折り返しミラー３４、最終折り返しミラー３５、半導体レーザ１３の光束に対して配置された分離用折り返しミラー３６、最終折り返しミラー３７が配置されている。このように、折り返しミラー３４，３６で光束を感光ドラムと反対の設置面側に一旦反射させてから、最終折り返しミラー３５，３７で感光ドラムに向けて折り返している。このため、少ないスペースを有効活用して半導体レーザ１２，１３の光束を同一の光路長にしながら、走査式光学装置５０を感光ドラムに近接配置することができる。さらに、ポリゴンミラー１０によって偏向走査された後、設置面側の光束である半導体レーザ４の光束を最も設置面から遠い感光ドラム８２ｄに照射するようにしている。このため、半導体レーザ３の光束はポリゴンミラー１０によって偏向走査された後、半導体レーザ４の光束より感光体側にある。このため、折り返しミラー３４で光束を感光ドラムと反対の設置面側に一旦反射させる際、折り返しミラー３４に半導体レーザ３の光束との干渉防止の面取りを設ける必要がない。このため、２１〜２７の結像光学手段をポリゴンミラー１０に対して対称にした場合より、ローコストにすることができる。
【００４０】
４１は上フタで、光学ケース４０に取り付けることで、走査式光学装置５０を密封し、走査式光学装置５０内に埃やトナー等の進入を防止している。上フタ４１には、各感光ドラム８２ａ，８２ｂ，８２ｃ，８２ｄに対応した位置にスリット状の開口部が設けられており、透明部材である防塵ガラス４３ａ，４３ｂ，４３ｃ，４３ｄが取り付けられている。このため、防塵ガラス４３ａ，４３ｂ，４３ｃ，４３ｄを通して各感光ドラム８２ａ，８２ｂ，８２ｃ，８２ｄに走査光を露光することが可能であるが、走査式光学装置５０内に埃やトナー等の進入を防止することができる。
【００４１】
前記走査式光学装置５１において、入射光学系は走査式光学装置５０と同様であり、レーザホルダ１に、光源である半導体レーザ２，３、コリメータレンズ６，７が設けられている。
【００４２】
図３に示すように、７０は走査式光学装置の各光学部品を格納する光学ケースである。光学ケース７０の側壁には、光学ケース４０と同様にレーザホルダ１を位置決めするための勘合穴部および長穴部が副走査方向に設けられており、レーザホルダ１の光学ケース７０に対する位置決めも同様になされている。このため、半導体レーザ２，３と光学ケース７０に格納された各光学部品との位置関係を精度良く保証することができる。
【００４３】
６０はポリゴンミラーで、不図示のモータを一定速度で回転させることで、半導体レーザから射出された光束を偏向走査し、ポリゴンミラー１０と同一部品である。ここで、半導体レーザ２は下側から上側に向けて副走査方向に角度θを持ってポリゴンミラー６０に斜入射されるため、ポリゴンミラー６０によって偏向走査される際、副走査方向に角度θを持って上側に射出される。つまり、排紙トレイ９９側の光束となる。一方、半導体レーザ３は上側から下側に向けて副走査方向に角度θを持ってポリゴンミラー６０に斜入射されるため、ポリゴンミラー６０によって偏向走査される際、副走査方向に角度θを持って下側に射出される。つまり、設置面側の光束となる。
【００４４】
６１は第１の結像レンズで、第２の結像レンズ６２，６３と共に、半導体レーザ２，３から射出されたレーザ光を等速走査およびドラム上でスポット結像させるｆθレンズである。第１の結像レンズ６１は第１の結像レンズ２１，３１と同一部品であり、第２の結像レンズ６２，６３は第２の結像レンズ２２，２３，３２，３３と同一部品である。６４〜６６は光束を所定の方向へ反射する折り返しミラーである。６４は半導体レーザ２の光束に対して配置された折り返しミラーである。６５は半導体レーザ２の光束に対して配置された最終折り返しミラーである。６６は半導体レーザ３の光束に対して配置された最終折り返しミラーである。このように、半導体レーザ３の光束は、最終折り返しミラー６６の一度しか反射させないため、上下方向に大きくなることをおさえ、薄型化できる。特に装置上面の排紙トレイ９９に排紙される用紙後端側に、一度しか反射させない最終折り返しミラー６６を配置している。これにより、排紙トレイ９９の用紙後端側の深さを深くすることができ、用紙の積載枚数と積載性を確保しながらカラープリンタ１００を薄型化することができる。一方の半導体レーザ２の光束は、折り返しミラー６４で光束を感光ドラムと反対の排紙トレイ９９の用紙先端側に一旦反射させてから、最終折り返しミラー６５で感光ドラムに向けて折り返している。このため、少ないスペースを有効活用して半導体レーザ２，３の光束を同一の光路長にしながら、走査式光学装置５１を感光ドラムに近接配置し、薄型化することができる。さらに、ポリゴンミラー６０によって偏向走査された後、感光ドラム側の光束である半導体レーザ３の光束を設置面に近い感光ドラム８２ｆに照射するようにしている。このため、最終折り返しミラー６６の位置は感光ドラム８２ｆに近づけることができる。これにより、走査式光学装置５１の排紙トレイ９９側の突出量が少なくなり、カラープリンタ１００をより薄型化することができる。
【００４５】
７１は上フタで、光学ケース７０に取り付けることで、走査式光学装置５１を密封し、走査式光学装置５１内に埃やトナー等の進入を防止している。また、光学ケース７０の底面には、各感光ドラム８２ｅ，８２ｆに対応した位置にスリット状の開口部が設けられており、透明部材である防塵ガラス７２ｅ，７２ｆが取り付けられている。このため、防塵ガラス７２ｅ，７２ｆを通して各感光ドラム８２ｅ，８２ｆ上に走査光を露光することが可能であるが、走査式光学装置５１内に埃やトナー等の進入を防止することができる。ここで、中間転写ベルト８７の上側の感光ドラム８２ｅ，８２ｆの間隔を、中間転写ベルト８７の下側の感光ドラム８２ａ，８２ｂ，８２ｃ，８２ｄの間隔より広くしている。このため、防塵ガラス７２ｅ，７２ｆの間隔も広くでき、走査式光学装置５１を取り付けるための不図示のステイにおいて、防塵ガラス７２ｅ，７２ｆ間に広い面積を確保できる。これにより、ステイの強度を十分確保でき、走査式光学装置５１の振動を抑制すると共に、カラープリンタ１００の剛性を保つことができる。
【００４６】
次に、走査式光学装置５０において、半導体レーザ２，３，１２，１３から射出された光束が各感光ドラム８２ａ，８２ｂ，８２ｃ，８２ｄに走査光Ｅ１，Ｅ２，Ｅ３，Ｅ４として露光されるまでの流れを説明する。
【００４７】
半導体レーザ２，３から射出された光束はレーザホルダ１の絞り部１ｃ，１ｄによってその光束断面の大きさが制限され、コリメータレンズ６，７により略平行光束に変換され、不図示のシリンドリカルレンズに入射する。シリンドリカルレンズに入射した光束のうち主走査断面内においてはそのままの状態で透過され、副走査断面内においては収束してポリゴンミラー１０の同一面にほぼ線像として結像する。この際、副走査方向に角度θを持ってポリゴンミラー１０近傍で交差するように斜入射される。そして、ポリゴンミラー１０が回転することで偏向走査しながら、副走査方向に角度θを持って射出される。ポリゴンミラー１０から射出された２本の光束のうち、半導体レーザ２から射出した光束が不図示のＢＤセンサに受光される。ＢＤセンサが半導体レーザ２から射出した光束を検知して同期信号を出力し、半導体レーザ２，３による画像端部の走査開始位置のタイミングを調整する。ここで、半導体レーザ２，３が副走査方向に１つのレーザホルダ１に設けられているため、半導体レーザ３による画像端部の走査開始位置のタイミングは半導体レーザ２と同じタイミングとすることができる。タイミング調整されて半導体レーザ２，３から射出された光束は、第１の結像レンズ２１を透過する。その後、半導体レーザ２から射出した光束は折り返しミラー２４により下側に反射された後、第２の結像レンズ２２を透過して最終折り返しミラー２５によって反射され、防塵ガラス４３ａを透過して感光ドラム８２ａに走査光Ｅ１として露光される。一方、半導体レーザ３から射出した光束は分離用折り返しミラー２６により下側に反射された後、第２の結像レンズ２３を透過して最終折り返しミラー２７によって反射され、防塵ガラス４３ｂを透過して感光ドラム８２ｂに走査光Ｅ２として露光される。
【００４８】
また、半導体レーザ１２，１３から射出された光束はレーザホルダ１１の絞り部１１ｃ，１１ｄによってその光束断面の大きさが制限され、コリメータレンズ１６，１７により略平行光束に変換され、不図示のシリンドリカルレンズに入射する。シリンドリカルレンズに入射した光束のうち主走査断面内においてはそのままの状態で透過され、副走査断面内においては収束してポリゴンミラー１０の同一面にほぼ線像として結像する。この際、副走査方向に角度θを持ってポリゴンミラー１０近傍で交差するように斜入射される。そして、ポリゴンミラー１０が回転することで偏向走査しながら、副走査方向に角度θを持って射出される。ポリゴンミラー１０から射出された２本の光束のうち、半導体レーザ１２から射出してポリゴンミラー１０に反射された光束が不図示のＢＤセンサに受光される。ＢＤセンサが半導体レーザ１２から射出した光束を検知して同期信号を出力し、半導体レーザ１２，１３による画像端部の走査開始位置のタイミングを調整する。ここで、半導体レーザ１２，１３が副走査方向に１つのレーザホルダ１１に設けられているため、半導体レーザ１３による画像端部の走査開始位置のタイミングは半導体レーザ１２と同じタイミングとすることができる。タイミング調整されて半導体レーザ１２，１３から射出された光束は、第１の結像レンズ３１を透過する。その後、半導体レーザ１２から射出した光束は分離用折り返しミラー３４により下側に反射された後、第２の結像レンズ３２を透過して最終折り返しミラー３５によって反射され、防塵ガラス４３ｃを透過して感光ドラム８２ｃに走査光Ｅ３として露光される。一方、半導体レーザ１３から射出した光束は折り返しミラー３６により下側に反射された後、第２の結像レンズ３３を透過して最終折り返しミラー３７によって反射され、防塵ガラス４３ｄを透過して感光ドラム８２ｄに走査光Ｅ４として露光される。
【００４９】
次に、走査式光学装置５１において、半導体レーザ２，３から射出された光束が各感光ドラム８２ｅ，８２ｆに走査光Ｅ５，Ｅ６として露光されるまでの流れを説明する。
【００５０】
半導体レーザ２，３から射出された光束はレーザホルダ１の絞り部１ｃ，１ｄによってその光束断面の大きさが制限され、コリメータレンズ６，７により略平行光束に変換され、不図示のシリンドリカルレンズに入射する。シリンドリカルレンズに入射した光束のうち主走査断面内においてはそのままの状態で透過され、副走査断面内においては収束してポリゴンミラー６０の同一面にほぼ線像として結像する。この際、副走査方向に角度θを持ってポリゴンミラー６０近傍で交差するように斜入射される。そして、ポリゴンミラー６０が回転することで偏向走査しながら、副走査方向に角度θを持って射出される。ポリゴンミラー６０から射出された２本の光束のうち、半導体レーザ２から射出した光束が不図示のＢＤセンサに受光される。ＢＤセンサが半導体レーザ２から射出した光束を検知して同期信号を出力し、半導体レーザ２，３による画像端部の走査開始位置のタイミングを調整する。ここで、半導体レーザ２，３が副走査方向に１つのレーザホルダ１に設けられているため、半導体レーザ３による画像端部の走査開始位置のタイミングは半導体レーザ２と同じタイミングとすることができる。タイミング調整されて半導体レーザ２，３から射出された光束は、第１の結像レンズ６１を透過する。その後、半導体レーザ２から射出した光束は折り返しミラー６４により上側に反射された後、第２の結像レンズ６２を透過して最終折り返しミラー６５によって反射され、防塵ガラス７２ｅを透過して感光ドラム８２ｅに走査光Ｅ５として露光される。一方、半導体レーザ３から射出した光束は、第２の結像レンズ６３を透過して最終折り返しミラー６６によって反射され、防塵ガラス７２ｆを透過して感光ドラム８２ｆに走査光Ｅ６として露光される。本実施例の回転多面鏡６０とそれぞれの感光ドラムとの位置関係は、回転多面鏡６０に対して片側に感光ドラムを集める関係となっている。そのため、回転多面鏡から感光ドラムとの光路長を稼ぐことができるため、回転多面鏡６０から遠い側の感光ドラムまでの光路は感光ドラムから遠ざかる方向にレーザを折り返えさない光路にすることができる。
【００５１】
次に、カラープリンタ１００において画像形成を行う場合の動作を説明する。
【００５２】
プリントスタートの信号が入力されると、画像情報に基づいて走査式光学装置５０から各感光ドラム８２ａ，８２ｂ，８２ｃ，８２ｄ，８２ｅ，８２ｆにレーザ光束が走査光として露光される。レーザ光束が露光されるまでの説明は、先述の半導体レーザ２，３，１２，１３から射出された光束が各感光ドラム８２ａ，８２ｂ，８２ｃ，８２ｄ，８２ｅ，８２ｆに走査光Ｅ１，Ｅ２，Ｅ３，Ｅ４，Ｅ５，Ｅ６として露光されるまでの流れの説明と同様である。このため、ここではその説明は省略する。画像形成は、各感光ドラム８２ａ，８２ｂ，８２ｃ，８２ｄ，８２ｅ，８２ｆが露光される。これにより、一次帯電器８３ａ，８３ｂ，８３ｃ，８３ｄ，８３ｅ，８３ｆにより帯電された各感光ドラム８２ａ，８２ｂ，８２ｃ，８２ｄ，８２ｅ，８２ｆ上に静電潜像を形成する。その後現像装置８４ａ，８４ｂ，８４ｃ，８４ｄ，８４ｅ，８４ｆ内で摩擦帯電された各色のトナーを前記静電潜像に付着させることで各感光ドラム８２ａ，８２ｂ，８２ｃ，８２ｄ，８２ｅ，８２ｆ上にトナー像が形成される。前記トナー像は各感光ドラム８２ａ，８２ｂ，８２ｃ，８２ｄ，８２ｅ，８２ｆ上から各一次転写ニップ部にて中間転写ベルト８７上に転写される。一方、給紙カセット９２から給紙ローラ９３により転写用紙が１枚ずつ給紙され、レジストローラ対９４に搬送されると、一旦停止し、前記二次転写部で所定位置にトナー像を転写されるようにタイミングを合わせて搬送が開始される。二次転写部では、中間転写ベルト８７上から転写用紙にトナー像を再度転写することで画像が転写用紙に形成される。画像が形成された転写用紙は定着器９５によりトナー像を熱により定着され、搬送ローラ対９６，９７、排紙ローラ対９８により、排紙トレイ９９上に搬送、排紙される。
【００５３】
以上説明したように、中間転写ベルトの下側に配置された感光ドラム８２ａ，８２ｂ，８２ｃ，８２ｄの間隔は、可能な限り小さくできるように、隣り合う画像形成部が、感光体への露光を妨げない範囲で重なり合うように配置されている。具体的には、一次帯電器８３ａ，８３ｂ，８３ｃ，８３ｄの下側に、現像装置８４ａ，８４ｂ，８４ｃ，８４ｄが上下方向に一部重なるように配置されている。このため、画像形成部の占有空間が左右の幅方向に大型化せず、カラープリンタ１００の小型化することができる。一方、中間転写ベルトの上側に配置された感光ドラム８２ｅ，８２ｆの間隔を、中間転写ベルトの下側に配置された感光ドラム８２ａ，８２ｂ，８２ｃ，８２ｄの間隔より広くしている。このため、一次帯電器８３ｅ，８３ｆと現像装置８４ｅ，８４ｆが上下方向に重ならないように配置することが可能である。これにより、画像形成部の占有空間が、上下の高さ方向に大型化せず、カラープリンタ１００の小型化することができる。さらには、走査式光学装置５１を感光ドラム８２ｅ，８２ｆに近接配置できると共に、配置自由度が上がるため、より一層カラープリンタ１００を上下の高さ方向に大型化せず、小型化することができる。
【００５４】
また、感光ドラム８２ｅ，８２ｆの間隔を広くしているため、走査式光学装置５１の防塵ガラス７２ｅ，７２ｆの間隔も広くでき、走査式光学装置５１を取り付けるための不図示のステイにおいて、防塵ガラス７２ｅ，７２ｆ間に広い面積を確保できる。このため、ステイの強度を十分確保でき、走査式光学装置５１の振動を抑制すると共に、カラープリンタ１００の剛性を保つことができる。
【００５５】
さらに、走査式光学装置５１の半導体レーザ３の光束は、最終折り返しミラー６６の一度しか反射させないため、上下方向に大きくなることをおさえ、薄型化できる。特に装置上面の排紙トレイ９９に排紙される用紙後端側に、一度しか反射させない最終折り返しミラー６６を配置している。これにより、排紙トレイ９９の用紙後端側の深さを深くすることができ、用紙の積載枚数と積載性を確保しながらカラープリンタ１００を薄型化することができる。一方の半導体レーザ２の光束は、折り返しミラー６４で光束を感光ドラムと反対の排紙トレイ９９の用紙先端側に一旦反射させてから、最終折り返しミラー６５で感光ドラムに向けて折り返している。このため、少ないスペースを有効活用して半導体レーザ２，３の光束を同一の光路長にしながら、走査式光学装置５１を感光ドラムに近接配置し、薄型化することができる。
【００５６】
さらに、走査式光学装置５１の半導体レーザ２，３の光路を互いに副走査方向に所定角度θを持ってポリゴンミラー６０近傍で交差するように光軸を傾斜させて設け、ポリゴンミラー６０によって偏向走査された後、感光ドラム側の光束である半導体レーザ３の光束を設置面に近い感光ドラム８２ｆに照射するようにしている。これにより、最終折り返しミラー６６の位置は感光ドラム８２ｆに近づけることができるため、走査式光学装置５１の排紙トレイ９９側の突出量が少なくなり、カラープリンタ１００をより薄型化することができる。
【００５７】
さらに、走査式光学装置５０の半導体レーザ２，３および半導体レーザ１２，１３の光路を互いに副走査方向に所定角度θを持ってポリゴンミラー１０近傍で交差するように光軸を傾斜させて設けている。このため、カラープリンタ１００の設置面に最も近い感光体ドラム８２ａへの光束が、ポリゴンミラー１０での偏向後、感光体側に近づいて行くため、折り返しミラー２４および最終折り返しミラー２５を感光体ドラム８２ａにより一層近づけて配置できる。これにより、走査式光学装置５０の設置面側への突出を抑え、より一層カラープリンタ１００を上下の高さ方向に大型化せず、小型化することができる。
【００５８】
また、中間転写ベルトの下側の感光ドラム８２ａ，８２ｂ，８２ｃ，８２ｄの間隔を、感光ドラムの周長と同一に設定し、上側の感光ドラム８２ｅ，８２ｆの間隔を、感光ドラムの周長の整数倍に設定している。このため、色ズレの発生原因の一つである、ドラム起因の回転ムラの影響を排除して、色ズレを低減し高画質化を図っている。
【００５９】
ここで、半導体レーザ２，３，１２，１３は１つの筐体に１つの発光点を有するシングルレーザを用いているが、これに限定されるものではない。例えば、１つの筐体に複数の発光点を有する半導体レーザを用いても良く、その場合は感光体ドラムを操作する走査線本数が比例して多くなるため、さらに高速な書き込みに適することができる。
【００６０】
また、半導体レーザ２，３および半導体レーザ１２，１３の光路を互いに副走査方向に所定角度θを持ってポリゴンミラー１０近傍で交差するように光軸を傾斜させて設けた斜入射の構成をとっている。しかしながら、本発明はこれに限定されるものではなく、副走査方向に角度を持たず、平行に入射する構成をとっても良い。ただし、その場合は、ポリゴンミラー１０またはポリゴンミラー６０での偏向後の光束が、感光体と平行に走査されて行くので、斜入射の構成の方が、折り返しミラーを感光体ドラムにより一層近づけて配置できる。これにより、走査式光学装置５０または５１の高さ方向への突出を抑え、より一層カラープリンタ１００を上下の高さ方向に大型化せず、小型化することができる。
【００６１】
なお、上述した実施形態では、画像形成部を６つ使用しているが、この使用個数は限定されるものではなく、必要に応じて適宜設定すれば良い。例えば、ライトマゼンタ、ライトシアン以外に透明トナーや白色トナーを用いる場合である。また、中間転写ベルトの一方の面側として装置上面側を、他方の面側として装置底面を例示しているが、これに限定されるものではない。更に、他方の面側に４つの画像形成部を配置し、一方の面側にこれより少ない２つの画像形成部を配置した場合を例示しているが、これに限定されるものではない。他方の面側に比べて、一方の面側の画像形成装置の数が少なければ良い。例えば、ライトマゼンタ、ライトシアン、透明トナーを用いるような７色構成のような場合である。この場合には、イエロー、マゼンタ、シアン、ブラックの４色を第一、第二の懸回部材の間の同一の転写ベルト面に設けられている。この場合には、ライトマゼンタとライトシアンの画像形成部を第一、第二の懸回部材の間の他方面に設ける構成、或いはライトマゼンタ、ライトシアン、透明トナーの画像形成部を第一、第二の懸回部材の間の他方面に設ける構成のいずれでもいい。
【００６２】
また、本実施例では、基本色の像担持体の間隔を全て等しくなるように設定されていた。しかし、ブラックの像担持体のみ大きくする構成には、マゼンタ、シアン、イエローの像担持体の間隔とブラックと隣り合う像担持体との間隔が異なる。その場合には、基本色側の隣り合う像担持体間の間隔の最小の距離と、補助色側の隣り合う像担持体間の間隔の最小の距離とを比較すればよい。その最小の距離が、補助色側の方が大きくなれば、本発明の効果を得ることができる。
【００６３】
また、本実施例では、２本の懸回部材を用いたが、３本の懸回部材を用いる構成を図６に示す。２本の懸回部材（88,89）の間の一方の同一の転写ベルト面にイエロー（Ｙ），マゼンタ（Ｍ），シアン（Ｃ），ブラック（Ｋ）を設ける。そして、２本の懸回部材（88,89）の間の他方のベルト面にライトマゼンタ（ＬＭ），ライトシアン（ＬＣ）を設ける構成である。このような構成であっても、本発明の構成を用いることで、同様の効果を得ることができる。
【００６４】
また上述した実施形態では、画像形成装置としてプリンタを例示したが、本発明はこれに限定されるものではなく、例えば複写機、ファクシミリ装置等の他の画像形成装置や、或いはこれらの機能を組み合わせた複合機等の他の画像形成装置であっても良い。また、上述した実施形態では、無端状のベルト部材として中間転写体を例示したが、これに限定されるものではない。無端状のベルト部材として記録材担持体を使用し、該記録材担持体に担持された記録材に各色のトナー像を順次重ねて転写する画像形成装置であっても良い。これらの画像形成装置に本発明を適用することにより同様の効果を得ることができる。
【図面の簡単な説明】
【００６５】
【図１】タンデム型カラープリンタの概略断面図
【図２】ベルト下側の走査式光学装置と画像形成部を示す概略断面図
【図３】ベルト上側の走査式光学装置と画像形成部を示す概略断面図
【図４】レーザホルダ部の断面図
【図５】レーザホルダ部の断面図
【図６】懸回部材を３本にした場合の配置図
【符号の説明】
【００６６】
１，１１ …レーザホルダ
２，３，１２，１３ …半導体レーザ
１０，６０ …ポリゴンミラー（回転多面鏡）
２１，３１ …第１の結像レンズ
２２，２３，３２，３３ …第２の結像レンズ
２４，２５，２６，２７，３４，３５，３６，３７，６４，６５，６６ …折り返しミラー
５０  …走査式光学装置（露光手段）
５１  …走査式光学装置（露光手段）
８１Ｂｋ，８１Ｃ，８１Ｍ，８１Ｙ，８１ＬＣ，８１ＬＭ …画像形成部
８２ａ，８２ｂ，８２ｃ，８２ｄ，８２ｅ，８２ｆ …感光ドラム（感光体）
８３ａ，８３ｂ，８３ｃ，８３ｄ，８３ｅ，８３ｆ …一次帯電器（プロセス手段）
８４ａ，８４ｂ，８４ｃ，８４ｄ，８４ｅ，８４ｆ …現像装置（プロセス手段）
８５ａ，８５ｂ，８５ｃ，８５ｄ，８５ｅ，８５ｆ …転写ローラ
８６ａ，８６ｂ，８６ｃ，８６ｄ，８６ｅ，８６ｆ …ドラムクリーナ装置（プロセス手段）
８７  …中間転写ベルト（無端状のベルト部材）
８８，８９ …ベルト搬送ローラ（回転体）
９０  …二次転写ローラ
９１  …ベルトクリーニング装置
９２  …給紙カセット
９３  …給紙ローラ
９４  …レジストローラ対
９５  …定着器
９６，９７ …搬送ローラ対
９８  …排紙ローラ対
９９  …排紙トレイ
１００ …カラープリンタ（画像形成装置）
【図１】
2007292972.tif 000003
【図２】
2007292972.tif 000004
【図３】
2007292972.tif 000005
【図４】
2007292972.tif 000006
【図５】
2007292972.tif 000007
【図６】
2007292972.tif 000008